(57)【要約】【課題】  データコンテンツ閲覧時におけるユーザのストレス低減と、電波帯域及び電力の利用効率の向上を図る。【解決手段】  電波状況監視部１６は電波状況を監視する。先読判定条件保存部１７は、電波状況と先読み度合いを関連付けたパラメータを保存する。先読判定部２３は、現在の電波状況に応じた先読み度合いのパラメータを求め、そのパラメータに基づいてどの程度の先読みを行うか判定する。コンテンツ解析部２４は、先読判定部２３による判定結果に基づいて先読みするコンテンツを決定し、先読みされたコンテンツをコンテンツ保存部１８に保存する。そして、ユーザからコンテンツ閲覧の指示が入力された時、そのコンテンツが保存済みの場合にはそのコンテンツを読み出して表示させ、一方、保存されていない場合には無線通信を通じて取得したコンテンツを表示させる。【選択図】  図２
2009153078.tif 000002
【特許請求の範囲】
【請求項１】
情報を表示するための表示部と、
無線通信を行うための無線通信部と、
上記無線通信部での無線通信時の電波状況を監視する電波状況監視部と、
ユーザからの指示が入力されるユーザ指示入力部と、
少なくとも複数の電波状況と複数の情報先読み度合いをそれぞれ関連付けた設定値を保存する設定値保存部と、
上記設定値保存部に保存された設定値の中から、上記電波状況監視部にて監視中の電波状況に応じた情報先読み度合いを決定し、当該決定した情報先読み度合いにて上記無線通信部を通じた情報の先読み取得を制御する先読み制御部と、
上記無線通信部を通じて先読み取得した情報を保存する情報保存部と、
上記ユーザ指示入力部を通じてユーザから情報表示のための指示が入力された時、当該表示指示された情報が上記情報保存部に保存されている場合には当該保存されている情報を読み出して上記表示部に表示させ、当該表示指示された情報が上記情報保存部に保存されていない場合には上記無線通信部を通じて取得した情報を上記表示部に表示させる制御部とを有する、
ことを特徴とする情報通信端末。
【請求項２】
上記制御部は、上記ユーザ指示入力部を通じてユーザから情報表示のための指示が入力された時に、当該表示指示された情報が上記情報保存部に保存されていて且つ上記電波状況監視部にて監視中の電波状況が悪い場合に、当該保存されている情報を読み出して上記表示部に表示させることを特徴とする請求項１記載の情報通信端末。
【請求項３】
上記電波状況監視部は、上記無線通信部での無線通信時の通信品質を示す指数を上記電波状況を示す値として取得し、
上記設定値保存部は、上記通信品質を示す指数を上記情報先読み度合いと関連付けた設定値を保存することを特徴とする請求項１記載の情報通信端末。
【請求項４】
上記無線通信部は、複数の無線通信システムを利用した無線通信を行う機能を有し、
上記設定値保存部は、上記複数の無線通信システム毎に上記少なくとも複数の電波状況と複数の情報先読み度合いとをそれぞれ関連付けた設定値を保存し、
上記先読み制御部は、上記情報の先読み取得の際に、上記電波状況監視部にて監視中の電波状況に応じて上記複数の無線通信システムの何れを利用するか決定することを特徴とする請求項１記載の情報通信端末。
【請求項５】
上記設定値保存部は、上記無線通信部を通じて先読み取得する情報の提供元アドレス情報をも保存することを特徴とする請求項１記載の情報通信端末。
【請求項６】
上記設定値保存部は、上記先読み度合いを定義する設定値の一つとして、上記提供元アドレス情報毎に設定された優先度を示す値を保存し、
上記先読み制御部は、上記設定値保存部が保存している上記提供元アドレス情報毎に設定された優先度の順位に応じて、上記情報の先読み取得を行うことを特徴とする請求項５記載の情報通信端末。
【請求項７】
位置情報を取得する位置情報取得部を有し、
上記先読み制御部は、上記位置情報取得部にて取得した各位置毎に、上記無線通信部にて監視した電波状況を学習し、当該学習結果に基づいて上記情報の先読み取得を制御することを特徴とする請求項１記載の情報通信端末。
【請求項８】
無線通信基地局から、無線通信の送信電力及び通信帯域と先読みを許可するデータ量を表す情報を取得する基地局情報取得部を有し、
上記無線通信部は、上記無線通信基地局により設定された上記通信帯域を使用する専用通信チャネルを通じて無線通信を行い、
上記先読み制御部は、上記基地局情報取得部が取得した上記送信電力及び上記通信帯域の専用通信チャネルにより、上記先読みが許可されたデータ量分の情報の先読み取得を行うことを特徴とする請求項１記載の情報通信端末。
【請求項９】
情報通信端末との間の無線通信時の送信電力及び通信帯域と先読みを許可するデータ量を決定し、それら送信電力及び通信帯域と先読みを許可するデータ量を示す情報を上記情報通信端末へ送信すると共に、上記通信帯域を使用する専用通信チャネルを設定する無線通信基地局と、
上記無線通信基地局から、無線通信の送信電力及び通信帯域と先読みを許可するデータ量を表す情報を取得し、当該送信電力及び上記通信帯域の専用通信チャネルを用い、上記先読みが許可されたデータ量分の情報を、無線通信時の電波状況に応じた情報先読み度合いにて先読み取得して保存し、ユーザから情報表示の指示入力がなされた時に、当該表示指示された情報が保存済みである場合には当該保存されている情報を読み出して表示させ、当該表示指示された情報が保存されていない場合には無線通信を通じて取得した情報を表示させる情報通信端末とを有する、
ことを特徴とする情報通信システム。
【請求項１０】
無線通信を行う無線通信部における無線通信時の電波状況を電波状況監視部にて監視するステップと、
少なくとも複数の電波状況と複数の情報先読み度合いをそれぞれ関連付けて設定値保存部に保存された設定値の中から、先読み制御部が、上記電波状況監視部にて監視中の電波状況に応じた情報先読み度合いを決定し、当該決定した情報先読み度合いにて上記無線通信部を通じた情報の先読み取得を制御するステップと、
上記無線通信部を通じて先読み取得した情報を情報保存部に保存するステップと、
ユーザの操作が入力されるユーザ指示入力部を通じて、ユーザから情報表示のための指示が入力された時、当該表示指示された情報が上記情報保存部に保存されている場合には当該保存されている情報を制御部が読み出して表示部に表示させ、当該表示指示された情報が上記情報保存部に保存されていない場合には制御部が上記無線通信部を通じて取得した情報を上記表示部に表示させるステップとを有する、
ことを特徴とする情報通信端末の制御方法。
【請求項１１】
無線通信を行う無線通信部における無線通信時の電波状況を監視する電波状況監視部と、
少なくとも複数の電波状況と複数の情報先読み度合いをそれぞれ関連付けて設定値保存部に保存された設定値の中から、上記電波状況監視部にて監視中の電波状況に応じた情報先読み度合いを決定し、当該決定した情報先読み度合いにて上記無線通信部を通じた情報の先読み取得を制御する先読み制御部と、
上記無線通信部を通じて先読み取得した情報を情報保存部に保存する情報保存制御部と、
ユーザによる指示が入力されるユーザ指示入力部を通じて、ユーザから情報表示のための指示が入力された時、当該表示指示された情報が上記情報保存部に保存されている場合には当該保存されている情報を読み出して表示部に表示させ、当該表示指示された情報が上記情報保存部に保存されていない場合には上記無線通信部を通じて取得した情報を表示部に表示させる制御部として、
情報通信端末を動作させることを特徴とする情報通信端末の制御プログラム。
【発明の詳細な説明】
【技術分野】
【０００１】
本発明は、例えば携帯電話端末等のように無線通信によりデータコンテンツ等を取得可能な情報通信端末、情報通信システム、情報通信端末の制御方法及び制御プログラムに関する。
【背景技術】
【０００２】
従来より、様々な無線システムがそれぞれ独自の方法に発展してきており、それら無線システムの代表例として携帯電話システムが知られている。また、携帯電話システムにて使用される携帯電話端末として、近年はブラウザアプリケーション（プログラム）を搭載したものの普及が進んでいる。特に最近の携帯電話端末は、高精細な表示が可能な表示デバイスを搭載したものが増えつつあり、その結果、当該高精細な表示デバイス上に、益々多くの情報を上記ブラウザアプリケーションにより表示させるような需要が高まっている。
【０００３】
その一方で、携帯電話システムにおいて使用可能な電波帯域は有限であり、データ通信時に十分な通信帯域を確保できないことも多く、その場合、各携帯電話端末のユーザが期待する多くの情報を、違和感無くブラウザアプリケーションにより表示デバイスの画面上に表示させることが難しい状況となっている。
【０００４】
このようなことから、従来は、携帯電話端末専用のブラウザアプリケーションを定義すると同時に、通信容量が少なくても効率的に携帯電話端末ユーザ向けにデータコンテンツを供給可能としたウェブサイトを用意することにより、ユーザがデータコンテンツを閲覧する際の違和感を少なくする工夫がなされている。
【０００５】
その他、特開平１０−３３３９６５号の公開特許公報（特許文献１）には、ハイパーテキストを取得する車載可能な情報通信装置において、利用者の操作が行われる可能性が低い車両走行中には、ハイパーテキストを先読みして、その読み出したページをバッファ手段に格納しておき、その後、利用者からページ読み出しの指示がなされた時には、バッファ手段に格納されたページの読み出しを行うことで、迅速なページ読み出しを可能にする技術が開示されている。
【０００６】
【特許文献１】特開平１０−３３３９６５号公報（図１）
【発明の開示】
【発明が解決しようとする課題】
【０００７】
ところが、上述のように表示デバイスが高精細化して表示画素数が増加するのに伴って、携帯電話端末専用のデータコンテンツの情報量も増えつつあり、さらに、最近では一般のパーソナルコンピュータにて閲覧されるようなデータコンテンツを表示可能なブラウザアプリケーション（いわゆるフルブラウザ）を搭載した携帯電話端末も普及しつつある。
【０００８】
また近年は、効率的な電波帯域の使用を目指すため、いわゆるＨＳＤＰＡ（High Speed Downlink Packet Access）方式などの電波状況に適応した無線通信技術も普及しつつある。なお、ＨＳＤＰＡ方式は、ＷＣＤＭＡ変調方式を発展させた方式であり、電波の状態（伝送路の状況）に応じて変調方式を変える適応変調技術が採用されている。このＨＳＤＰＡ方式によれば、例えばＨＳＤＰＡ方式を使用可能な時には当該ＨＳＤＰＡ方式を用い、それ以外の時には通常のＷＣＤＭＡ方式を用いるようにしたり、また例えば、ＨＳＤＰＡ方式を用いる場合にも変調パラメータの値を刻々と切り換えて使用するようなことが行われる。また、上記ＨＳＤＰＡ方式に対応した携帯電話端末では、上記変調方式の切り換えや変調パラメータの変更の何れが行われた場合であっても、常にＡＣＬＲ(Adjacent Channel Leakage Ratio:隣接チャネル漏洩電力比）特性を満足させるように、つまり全ての場合において必ず或る一定以上のＡＣＬＲ特性が得られるように、送信電力増幅器（パワーアンプ）の設定がなされる。すなわち、ＨＳＤＰＡ方式の携帯電話端末は、例えば電波状況の良い環境下では短時間にデータコンテンツを取得できる一方で、電波状況が悪い環境下では短時間にデータコンテンツを取得し難くなり、また多くの電力を消費してしまうという問題がある。
【０００９】
上述したように、近年は、ブラウザアプリケーションにて表示される情報量が増加の一途を辿り、その一方で、有限の電波帯域を効率的に使う必要性も同時に増してきているのに対して、例えば電波状況が悪い環境下にてデータ通信が行われる際には、多くの帯域を要し且つ多くの電力が消費されることになり、有限の電波帯域の有効利用と有効な電力利用の観点から効率が悪くなる問題が発生する。すなわち、特に電波状況が悪い環境下では、データコンテンツの取得に多くの時間を要することによりユーザのストレスが増加し、また、電波帯域及び電力の利用効率の低下という問題が起こる。
本発明は、このような実情に鑑みて提案されたものであり、例えばブラウザアプリケーションによるデータコンテンツ閲覧時におけるユーザのストレス低減と共に、電波帯域及び電力の利用効率の向上を図ることをも可能にする情報通信端末、情報通信システム、情報通信端末の制御方法及び制御プログラム
【課題を解決するための手段】
【００１０】
本発明の情報通信端末は、情報を表示するための表示部と、無線通信を行うための無線通信部と、無線通信時の電波状況を監視する電波状況監視部と、ユーザからの指示が入力されるユーザ指示入力部と、少なくとも複数の電波状況と複数の情報先読み度合いをそれぞれ関連付けた設定値を保存する設定値保存部と、それら設定値の中から現在監視中の電波状況に応じた情報先読み度合いを決定し、当該決定した情報先読み度合いにて無線通信部を通じた情報の先読み取得を制御する先読み制御部と、その先読み取得された情報を保存する情報保存部と、ユーザから情報表示のための指示が入力された時、当該表示指示された情報が保存済みの場合には当該保存されている情報を読み出して表示部に表示させ、当該表示指示された情報が保存されていない場合には無線通信部を通じて取得した情報を表示部に表示させる制御部とを有することにより、上述した課題を解決する。
【００１１】
また、本発明の情報通信システムは、情報通信端末との間の無線通信時の送信電力及び通信帯域と先読みを許可するデータ量を決定し、それら送信電力及び通信帯域と先読みを許可するデータ量を示す情報を情報通信端末へ送信すると共に、通信帯域を使用する専用通信チャネルを設定する無線通信基地局と、無線通信基地局から、無線通信の送信電力及び通信帯域と先読みを許可するデータ量を表す情報を取得し、当該送信電力及び専用通信チャネルを用い、先読みが許可されたデータ量分の情報を、無線通信時の電波状況に応じた情報先読み度合いにて先読み取得して保存し、ユーザから情報表示の指示入力がなされた時に、当該表示指示された情報が保存済みである場合にはその保存されている情報を読み出して表示させ、当該表示指示された情報が保存されていない場合には無線通信を通じて取得した情報を表示させる情報通信端末とを有することにより、上述した課題を解決する。
【００１２】
また、本発明の情報通信端末の制御方法は、無線通信時の電波状況を監視するステップと、少なくとも複数の電波状況と複数の情報先読み度合いをそれぞれ関連付けた設定値の中から、現在監視中の電波状況に応じた情報先読み度合いを決定し、当該決定した情報先読み度合いにて無線通信による情報の先読み取得を制御するステップと、無線通信を通じて先読み取得した情報を保存するステップと、ユーザから情報表示のための指示が入力された時、表示指示された情報が保存済みである場合にはその保存情報を読み出して表示させ、当該表示指示された情報が保存されていない場合には無線通信を通じて取得した情報を表示させるステップとを有することにより、上述した課題を解決する。
【００１３】
また、本発明の情報通信端末の制御プログラムは、無線通信時の電波状況を監視する電波状況監視部と、少なくとも複数の電波状況と複数の情報先読み度合いをそれぞれ関連付けた設定値の中から、現在監視中の電波状況に応じた情報先読み度合いを決定し、当該決定した情報先読み度合いにて無線通信を通じた情報の先読み取得を制御する先読み制御部と、無線通信を通じて先読み取得した情報を保存制御する情報保存制御部と、ユーザから情報表示のための指示が入力された時、当該表示指示された情報が保存済みである場合には当該保存されている情報を読み出して表示部に表示させ、当該表示指示された情報が保存されていない場合には無線通信部を通じて取得した情報を表示部に表示させる制御部として、情報通信端末を動作させることにより、上述した課題を解決する。
【００１４】
すなわち、本発明によれば、電波状況と情報先読み度合いとがそれぞれ関連付けられており、情報先読みを行う際には、無線通信の電波状況に応じて情報先読み度合いを決め、その情報先読み度合いに基づいて先読みした情報を保存しておく。そして、ユーザから情報表示の指示入力がなされた時、その情報が保存済みである場合にはその保存情報を読み出して表示させ、一方、保存されていない場合には無線通信を通じて取得した情報を表示させるようにする。
【発明の効果】
【００１５】
本発明においては、電波状況に応じてデータコンテンツ等の情報を先読みして保存しておき、ユーザがデータコンテンツの閲覧を指示した時に、そのデータコンテンツが保存済みである場合にはその保存されたデータコンテンツを読み出して表示させ、一方、保存されていない場合には無線通信を通じて取得したデータコンテンツを表示させるようにしているため、ユーザによるコンテンツ閲覧指示があった時に実際にコンテンツが表示されるまでの時間を短縮でき、その結果、ユーザに与えるストレスを低減可能となっており、さらには、電波帯域及び電力の利用効率の向上を図ることも可能となっている。
【発明を実施するための最良の形態】
【００１６】
以下、図面を参照しながら、本発明の一実施形態について説明する。
【００１７】
なお、以下の実施形態では、本発明の適用例として携帯電話端末を挙げているが、勿論、ここで説明する内容はあくまで一例であり、本発明はこの例に限定されないことは言うまでもない。
【００１８】
［本発明実施形態の概要］
本発明実施形態では、電波状況（通信品質）に応じてデータコンテンツの取得方法を動的に切り換えるようなブラウザアプリケーションを定義する。
【００１９】
本発明実施形態におけるブラウザアプリケーションは、電波状況（通信品質）が良い時には少しでも多くの情報（データコンテンツ）を先読みする機能を有する。本発明実施形態におけるブラウザアプリケーションは、具体的には、リンク先のデータコンテンツをユーザが選択するかどうかに関わらずに前もって取得して携帯電話端末のバッファに保存する。
【００２０】
なお、本実施形態のブラウザアプリケーションにて先読みを行うユースケースとしては、前回サイトを閲覧等した時に最後に表示されたコンテンツに含まれるリンク先のページやサイトを先読みするケースや、携帯電話端末により所望のポータルサイトや知人のウェブログ（いわゆるブログ）等を例えば毎日先読みするようなケースが考えられる。前回サイトを閲覧等した時のリンク先等を先読みするケースの場合、本実施形態のブラウザアプリケーションは、電波状況（通信品質）が良い時に、例えばそのリンク先のページやサイト等のデータコンテンツを先読みしてバッファに保存しておくようにする。また、所望のポータルサイトや知人のブログ等を例えば毎日先読みするようなケースの場合、本実施形態のブラウザアプリケーションは、毎日チェックされているサイトやページ等の履歴を元に、電波状況（通信品質）が良い時に、例えば定期的にそれらサイトやページ等のデータコンテンツを先読みしてバッファに保存しておくようにする。また、所望のポータルサイトや知人のブログ等を例えば毎日チェックするようなケースにおいて、例えばそれらユーザが毎日チェックしたいサイト等が予め「お気に入りリスト」に登録されている場合、本実施形態のブラウザアプリケーションは、電波状況（通信品質）が良い時に、例えば定期的に当該お気に入りリスト内のサイト等のデータコンテンツを先読みしてバッファに保存しておくようにする。
【００２１】
そして、本発明実施形態におけるブラウザアプリケーションは、例えば電波状況（通信品質）が悪い時に、上記リンク先のデータコンテンツの表示をユーザが指示した場合には、新たに無線通信を行うことなく、上述のように電波状況（通信品質）が良い時に先読みして携帯電話端末のバッファに保存しておいたデータコンテンツを読み出し、それを表示する。
【００２２】
また、本実施形態のブラウザアプリケーションは、上記データコンテンツ等を先読みする際に、電波状況（すなわち通信品質、通信環境）に応じて、どの程度先読みを行うか、つまり先読み度合いを予め設定可能となされている。
【００２３】
ここで、先読み度合いを定義するパラメータとしては、先読みするリンクの段階数やページ数、先読みするコンテンツのデータサイズ、先読みしたデータを保存する携帯電話端末のバッファ容量、先読みするリンク内のサイトやページ，データコンテンツについて予め設定した優先順位などのパラメータを挙げることができる。すなわち例えば、先読みするリンクの段階数やページ数が設定されている場合にはそれら段階数やページ数まで先読みし、コンテンツのデータサイズが設定されている場合にはそのデータサイズになるまで先読みし、また、携帯電話端末のバッファ容量に応じたデータ量だけ先読みし、優先順位が設定されている場合には優先度の高いページ等から順に先読みするようなことを行う。特に、優先順位が設定されている場合において、例えば毎日チェックするようなサイトがある場合には、優先順位が高いものほど迅速にチェックできることになる。これら先読み度合いを定義するパラメータの詳細な使用例については後述する。
【００２４】
一方、上記電波状況を定義するパラメータとしては、例えば電波強度「強」や電波強度「弱」の２値で表されるパラメータの他、例えば電波強度「強」，電波強度「中」，電波強度「弱」のように３値や、電波強度「強１」，電波強度「強２」，電波強度「中１」，電波強度「中２」，電波強度「弱１」，電波強度「弱２」のように３値以上のパラメータなどを挙げることができる。また、電波状況を定義するパラメータとしては、上述のような電波強度だけでなく、例えば、ブロックエラーレート、ビットエラーレートなどのように、携帯電話端末における無線通信品質を示す指数を用いることもでき、また、上記通信品質と送信電力とを関連付けた指数を用いることもできる。これら電波状況を定義するパラメータの詳細な使用例については後述する。
【００２５】
すなわち、本実施形態の場合、例えば電波状況や通信品質等を表す各パラメータのそれぞれについて、先読みするリンクの段階数やページ数、先読みするコンテンツのデータサイズ、先読みするリンク内のサイトの優先順位などのパラメータを個々に設定可能となされている。
【００２６】
なお、上述した先読み度合いや電波状況等についての各パラメータは、ユーザにより設定されても良いし、予め携帯電話端末に初期値として設定されていても良い。また、先読み度合いを定義する各パラメータについては、ユーザにより既に設定されている場合及び予め携帯電話端末に初期値として既に設定されている場合の何れであっても、電波状況等に応じて動的に変更されても良い。
【００２７】
また、本実施形態のブラウザアプリケーションは、例えば携帯電話端末が複数の無線通信システムに対応している場合には、それら複数の通信システムの中で電波状況が良く、より高速にデータ転送可能な通信システムを選択的に切り換えて使用する機能を備えていても良い。なお、本実施形態のブラウザアプリケーションは、高速データ通信が可能な通信システムであっても、例えば高価な通信料を必要とする場合などにおいては、必ずしも当該高速通信が可能なシステムを選択せず、低料金の通信システムを使用するようにしても良い。
【００２８】
そして、本実施形態のブラウザアプリケーションによれば、上述した各設定、すなわち通信システムとその強度、先読み度合い、複数の通信システムの切り換え、データ転送速度に応じた通信システムの選択等について、それぞれを個別に設定可能となされている。
【００２９】
上述したように、本実施形態の携帯電話端末においては、電波状況に応じてデータコンテンツの取得及びそのデータ取得量を動的に制御可能となされているため、データコンテンツ取得待ち時間によるユーザのストレス低減と、有限の電波帯域の有効活用が可能となり、非常に効率的であり且つ高い利便性を実現可能となっている。
【００３０】
［情報通信システムの概略構成］
図１には、本発明実施形態の情報通信システムの概略構成を示す。なお、図１では、本発明実施形態の情報通信システムの説明に必要な主要構成要素のみを示している。
【００３１】
図１において、ユーザの携帯電話端末５は、携帯電話網の基地局４及び交換機３を通じてインターネット２に接続可能となされている。さらに、携帯電話端末５は、上記インターネット２を経由してコンテンツサーバ１にアクセス可能となされている。そして、携帯電話端末５は、本実施形態のブラウザアプリケーションにより表示デバイスの画面上に表示可能なデータコンテンツを、上記コンテンツサーバ１から取得可能となされている。
【００３２】
なお、図１ではコンテンツサーバ１として一つのサーバのみを図示しているが、実際のコンテンツサーバ１は、例えば携帯電話端末５の「お気に入りリスト」に登録されている複数のサイトのデータコンテンツを蓄積した複数のコンテンツサーバである。
【００３３】
［携帯電話端末の概略構成］
図２には、本発明実施形態の携帯電話端末の概略構成を示す。なお、図２には、本発明実施形態の携帯電話端末の説明に必要な主要構成要素のみを示している。
【００３４】
図２の携帯電話端末は、主要構成要素として、コンテンツ制御部１０、本発明のユーザ指示入力部を含む入力制御部１１、表示部１２、タイマ１３部、ＧＰＳ部１４、本発明無線通信部を含むデータ通信制御部１５及び無線制御部１９、電波状況監視部１６、本発明の設定値保存部に対応する先読判定条件保存部１７、本発明の情報保存部に対応するコンテンツ保存部１８を有している。
【００３５】
上記無線制御部１９は、単体若しくは複数の通信システムに対応した無線通信デバイスと、その無線通信デバイスを制御する制御回路とからなる。
【００３６】
データ通信制御部１５は、無線通信のための通信プロトコルやブラウザアプリケーション（プログラム）の実行に伴う通信プロトコルのためのＴＣＰ/ＩＰ制御を行う。
【００３７】
なお、無線制御部１９とデータ通信制御部１５は、後述する先読み専用の通信チャネルを用いた無線通信に関連する制御等についても行う。
【００３８】
本実施形態の携帯電話端末は、上記無線制御部１９が携帯電話網の基地局４と通信し、さらに交換機３及びインターネット２を経由してコンテンツサーバ１に接続し、また、データ通信制御部１５がＴＣＰ／ＩＰ通信を行うことにより、上記コンテンツサーバ１からデータコンテンツを取得可能となされている。
【００３９】
電波状況監視部１６は、基地局４との間で無線通信が行われる際の電波状況を監視する。具体的に説明すると、電波状況監視部１６は、電波強度、ブロックエラーレート、ビットエラーレートなどのように、携帯電話端末における無線通信品質を示す指数を取得及び監視することにより、現在の電波状況がどのようになっているかを検知する。なお、携帯電話網における無線通信品質を示す指数としては、その他にも、例えば、基地局４から送られてくる情報、すなわち例えば、基地局と携帯電話端末との間の距離や基地局４における帯域当たりのユーザ収容数などを用いることもできる。電波状況監視部１６は、これら電波強度、ブロックエラーレート、ビットエラーレート、基地局までの距離、帯域当たりのユーザ収容数などの無線通信品質を示す各指数のうち、何れか一つを用いるか若しくは少なくとも二つ以上を組み合わせたものを用いることにより、現在の電波状況を判断する。そして、電波状況監視部１６は、上記監視により得た電波状況を表す情報を、コンテンツ制御部１０へ送る。
【００４０】
コンテンツ制御部１０は、本実施形態のブラウザアプリケーション（プログラム）の実行、及び、当該アプリケーションの実行に伴ったデータコンテンツの保存、データコンテンツの表示等のための各種演算や制御等を行う。
【００４１】
入力制御部１１は、携帯電話端末に搭載されている各種キー等を通じたユーザ操作を検出し、そのユーザ操作信号をコンテンツ制御部１０へ送る。本実施形態の場合の当該ユーザ操作としては、データコンテンツ閲覧のための表示指示やリンク先の指定やページ指定などを挙げることができる。
【００４２】
表示部１２は、例えば液晶や有機ＥＬ等の表示デバイスとその表示デバイスを制御する表示制御回路とを有してなり、当該表示デバイスの画面上に、本実施形態のブラウザアプリケーションによりコンテンツ等が表示される。
【００４３】
上記先読判定条件保存部１７は、前述したように、先読み度合いを定義するパラメータと、当該先読みを行う際の前記電波状況を定義するパラメータ等のような先読み判定条件についての設定情報が保存されている。また先読判定条件保存部１７には、所望のポータルサイトや知人のブログ等のようにユーザが毎日チェックしたいサイト等のアドレス（ＵＲＬ）が「お気に入りリスト」として登録されている。
【００４４】
コンテンツ保存部１８は、本実施形態のブラウザアプリケーションの実行により先読みしたデータコンテンツを保存する。なお、コンテンツ保存部１８には、ブラウザアプリケーションによりキャッシュされたデータコンテンツも保存可能である。
【００４５】
タイマ部１３は、日時や時間等の計測を行う。なお本実施形態において、当該タイマ部１３の時間情報は、例えばデータコンテンツを定期的に先読みする設定がなされている場合の先読み実行時間の決定等に用いられる。
【００４６】
ＧＰＳ（Global Positioning System）部１４は、本実施形態の携帯電話端末の現在位置を計測する。本実施形態において、当該ＧＰＳ部１４の現在位置情報は、例えば先読みを実行する位置が決められているような場合に、その先読み実行場所を検知するためなどに用いることができる。また、先読み実行場所は、例えば予めユーザにより決められた場所や携帯電話端末に初期値として決められた場所であっても良いし、例えば学習により取得した場所であっても良い。学習により取得される場所としては、例えば通勤経路や通学経路などユーザが頻繁に利用する経路上において、電波状況監視部１６にて常に電波状況が良いと判断される場所などを挙げることができる。すなわち、この場合の本実施形態の携帯電話端末は、例えば通勤経路や通学経路などユーザが頻繁に利用する経路上において、電波状況監視部１６にて監視した電波状況が良い場所が例えば一定期間に渡って繰り返し検知された場合には、その電波状況が良い場所を先読みの実行に適した場所として学習するような学習機能を備える。そして、携帯電話端末は、当該学習により得た場所に来たことをＧＰＳ部１４の測位情報から判断した時に、先読みを実行する。これにより、効率的な先読みが可能となる。なお、位置情報は、ＧＰＳ部１４による位置情報の他に、本実施形態の携帯電話端末がエリア内に入っている基地局の位置情報（つまり基地局番号により特定される位置の情報）を用いるようにしても良い。
【００４７】
また、本実施形態の携帯電話端末において、上記コンテンツ制御部１０は、主要構成要素として、要求表示部２１、表示制御部２２、本発明の先読み制御部と情報保存制御部に相当する先読判定部２３及びコンテンツ解析部２４を有する。なお、当該コンテンツ制御部１０の各主要構成要素の機能は、例えばＣＰＵが本実施形態のブラウザアプリケーション（プログラム）を実行することにより実現されるものである。
【００４８】
先読判定部２３は、例えば前回表示したサイトのリンク先や上記先読判定条件保存部１７に登録されている「お気に入りリスト」のサイト等を先読みする際に、当該先読判定条件保存部１７に保存されている前述のパラメータと、電波状況監視部１６による電波状況の監視情報とに基づいて、それらサイトのデータコンテンツを先読みするかどうか判定する。すなわち、先読判定部２３は、電波状況監視部１６による電波状況の監視情報から現在の電波がどのような状況にあるかを認識し、その電波状況から先読みのための無線通信が可能であるか、及び、その電波状況に応じて各サイトのデータコンテンツをどの程度まで先読みするか（つまり先読み度合い）を決める。なお本実施形態において、当該先読判定部２３は、上記電波状況が良い場所の学習とその学習情報に基づく先読みの実行についての判定も行うことができる。
【００４９】
コンテンツ解析部２４は、先読判定条件保存部１７に保存されている前述のパラメータやコンテンツ保存部１８のメモリ容量に基づいて、先読みするサイトとコンテンツを決定する。すなわち、コンテンツ解析部２４は、先読みするサイト内のリンクの段階数やページ数、先読みするコンテンツのデータサイズ、コンテンツ保存部１８のメモリ残容量、先読みするサイト等に設定された優先順位などに応じて、何れのサイトのデータコンテンツを先読みするかを決定する。
【００５０】
上記要求制御部２１は、コンテンツ解析部２４にて先読みすると決定されたサイトのデータコンテンツを、前記コンテンツサーバ１に対して要求するための情報を生成する。この場合のデータコンテンツ要求情報は、データ通信制御部１５及び無線制御部１９を介して、図１の基地局４に送信され、さらに交換機３，インターネット２を経由してコンテンツサーバ１へ送られる。なお、要求制御部２１は、入力制御部１１からユーザ操作情報が供給され、そのユーザ操作情報が、データコンテンツの取得を指示する情報である場合に、当該ユーザ操作情報により指示されたデータコンテンツを、前記コンテンツサーバ１に対して要求することも行う。
【００５１】
そして、上記要求制御部２１からの要求に応じてコンテンツサーバ１からデータコンテンツが送信され、そのデータコンテンツが無線制御部１９及びデータ通信制御部１５を介して受信された場合、コンテンツ解析部２４は、当該受信されたデータコンテンツをコンテンツ保存部１８に保存する。
【００５２】
また、入力制御部１１からユーザ操作情報が供給され、そのユーザ操作情報がデータコンテンツの表示を指示する情報である場合、コンテンツ解析部２４は、当該ユーザ操作情報により指示されたデータコンテンツが、既に先読みによりコンテンツ保存部１８に保存されているか否かを解析する。
【００５３】
そして、当該ユーザにより表示指示がなされたデータコンテンツがコンテンツ保存部１８に保存されている場合、コンテンツ解析部２４は、そのデータコンテンツをコンテンツ保存部１８から読み出し、表示制御部２２に渡す。表示制御部２２は、当該データコンテンツを表示部１２の表示デバイスに表示するために必要な処理を行うと共に、その処理により生成された表示データを表示部１２へ転送する。これにより、表示デバイスの画面上には、上記先読みされてコンテンツ保存部１８に保存されていたデータコンテンツが表示されることになる。
【００５４】
一方、上記ユーザにより表示指示がなされたデータコンテンツがコンテンツ保存部１８に保存されていない場合、コンテンツ解析部２４は、上記要求制御部２１に対して、そのデータコンテンツの取得を依頼する。これにより、要求制御部２１は、そのデータコンテンツを前記コンテンツサーバ１に対して要求するための情報を生成する。そして、上記要求制御部２１からの要求に応じてコンテンツサーバ１からデータコンテンツが送信され、そのデータコンテンツが無線制御部１９及びデータ通信制御部１５を介して受信されると、表示制御部２２は、その当該データコンテンツを表示部１２の表示デバイスに表示するために必要な処理を行うと共に、その処理により生成された表示データを表示部１２へ転送する。これにより、表示デバイスの画面上には、上記コンテンツサーバ１から取得したデータコンテンツが表示されることになる。
【００５５】
なお、例えばユーザからデータコンテンツの表示指示がなされた場合において、上記コンテンツ保存部１８に保存されているデータコンテンツの読み出しは、そのデータコンテンツが当該コンテンツ保存部１２８に保存されており且つ上記電波状況監視部１６にて監視中の現在の電波状況が悪い場合にのみ行われても良い。
【００５６】
［先読判定条件のためのパラメータ例］
図３には、上記先読判定部２３が、電波状況に応じた先読みの可否の判断や先読みするデータ量を把握するために参照する、上記先読判定条件保存部１７に格納されているパラメータ（設定値）の一例を示す。
【００５７】
本実施形態の携帯電話端末が複数の無線通信システムに対応している場合、先読判定条件保存部１７には、各無線通信システム毎に、例えば図３に示すような電波状況を定義するパラメータと先読み度合いを定義するパラメータとが関連付けられて設定登録される。
【００５８】
図３は、複数の無線通信システムの一例として、ＨＳＤＰＡとＧＳＭ（Global System for Mobile Communications）を挙げている。また、図３では、前記電波状況（つまり通信品質）を定義するパラメータとして、各無線通信システムにより与えられた無線通信帯域の最大データ転送量の上限に対する有効通信速度が設定され、さらに、前記先読み度合いを定義するパラメータとして、最大先読み可能な容量とリンク数が設定されている例を挙げている。また、図３の例では、上記無線通信システムにより与えられた無線通信帯域の最大データ転送量の上限が例えば１００ｋｂｐｓであり、その最大データ転送量の上限に対して例えば７０ｋｂｐｓのデータ転送が可能である場合に、通信品質を７０％と表現している。図３の例では、それぞれの通信品質に対して、どの程度コンテンツを先読みするかを、最大先読み容量や最大先読みリンク数などにより規定している。また、図３中の「Ｎ／Ａ」のように、そもそも先読みしないケースについても規定されている。本実施形態では、これらの指標の少なくとも二つ以上を組み合わせたものが通信品質の判断に用いられる。なお、通信品質については、前述したように、電波強度，ブロックエラーレート，ビットエラーレート，基地局との距離，帯域当たりのユーザ収容数など、携帯電話の無線通信品質を示す他の指数を用いても良い。本実施形態の場合、具体的には、これら指標を用いて基地局が通信品質を判断し、その通信品質の情報を携帯電話端末へ送るようにしているが、勿論、携帯電話端末側で通信品質を判断しても良い。
【００５９】
図３の具体例についてより詳細に説明すると、先読判定条件保存部１７には、例えば通信システム「ＨＳＤＰＡ」の電波状況を定義するパラメータとして通信品質「７０％以上」を示す値が設定され、且つ、先読み度合いを定義するパラメータとして最大先読容量「１００ＫＢ」の値と、最大先読リンク数「１０リンク」の値が設定されている。また、先読判定条件保存部１７には、通信システム「ＨＳＤＰＡ」の電波状況を定義するパラメータとして通信品質「３０〜７０％」の値が設定され、且つ、先読み度合いを定義するパラメータとして最大先読容量「１０ＫＢ」の値と、最大先読リンク数「３リンク」の値が設定されている。また、先読判定条件保存部１７には、通信システム「ＨＳＤＰＡ」の電波状況を定義するパラメータとして通信品質「３０％未満」の値が設定され、且つ、先読み度合いを定義するパラメータとして最大先読容量「Ｎ／Ａ」の値と、最大先読リンク数「Ｎ／Ａ」の値が設定されている。さらに、先読判定条件保存部１７には、例えば通信システム「ＧＳＭ」の電波状況を定義するパラメータとして通信品質「７０％以上」の値が設定され、且つ、先読み度合いを定義するパラメータとして最大先読容量「１０ＫＢ」の値と、最大先読リンク数「３リンク」の値が設定されている。また、先読判定条件保存部１７には、通信システム「ＧＳＭ」の電波状況を定義するパラメータとして通信品質「７０％未満」の値が設定され、且つ、先読み度合いを定義するパラメータとして最大先読容量「Ｎ／Ａ」の値と、最大先読リンク数「Ｎ／Ａ」の値が設定されている。
【００６０】
したがって、この図３の例の場合、通信システムとして「ＨＳＤＰＡ」が用いられている際に、前記電波状況監視部１６にて通信品質が「７０％以上」であることが検知されると、上記先読判定部２３は、上記最大先読容量の「１００ＫＢ」以内のデータ量で且つ上記最大先読リンク数の「１０リンク」以内のリンク数までデータの先読みを行えると判定する。また、通信システムとして「ＨＳＤＰＡ」が用いられている際に、前記電波状況監視部１６にて通信品質が「３０〜７０％」であることが検知されると、上記先読判定部２３は、上記最大先読容量の「１０ＫＢ」以内のデータ量で且つ上記最大先読リンク数の「３リンク」以内のリンク数までデータの先読みを行えると判定する。また、通信システムとして「ＨＳＤＰＡ」が用いられている際に、前記電波状況監視部１６にて通信品質が「３０％未満」であることが検知されると、上記先読判定部２３は、上記最大先読容量の「Ｎ／Ａ」と上記最大先読リンク数の「Ｎ／Ａ」からデータの先読みを行わないと判定する。一方、通信システムとして「ＧＳＭ」が用いられている際に、前記電波状況監視部１６にて通信品質が「７０％以上」であることが検知されると、上記先読判定部２３は、上記最大先読容量の「１０ＫＢ」以内のデータ量で且つ上記最大先読リンク数の「３リンク」以内のリンク数までデータの先読みを行えると判定する。また、通信システムとして「ＧＳＭ」が用いられている際に、前記電波状況監視部１６にて通信品質が「７０％未満」であることが検知されると、上記先読判定部２３は、上記最大先読容量の「Ｎ／Ａ」と上記最大先読リンク数の「Ｎ／Ａ」からデータの先読みを行わないと判定する。
【００６１】
なお、本実施形態では、最大先読容量を規定し、その容量以内のデータコンテンツを先読みする例を挙げているが、例えば先読みするデータコンテンツの種類を認識（例えば拡張子を見る）し、そのコンテンツの種類の認識結果に応じて先読みを行うか否かを判断しても良い。これにより、例えば、先読みするデータコンテンツの拡張子により、そのデータコンテンツが動画コンテンツや静止画コンテンツのように非常にデータ量が大きいものである場合には、先読みを行わないような制御が可能となる。なお、逆に、拡張子がＨＴＭＬやＴＸＴなどのファイルを優先的に取得するようにしても良い。
【００６２】
［携帯電話端末側における送信電力と通信品質の定義例］
また、本実施形態においては、例えば送信電力が低くても目標とする「Ｅｂ／Ｉｏ」を満たすことができる場合に通信品質が良いと定義し、送信電力を上げないと目標「Ｅｂ／Ｉｏ」を満たせない場合に通信品質が悪いと定義することも可能である。なお、「Ｅｂ／Ｉｏ」とは、所要品質を満たすための指標であり、誤り訂正後の１ビット当たりに必要な受信電力（Ｅｂ）と単位種帯域当たりの干渉電力（Ｉｏ）との比（Ｅｂ／Ｉｏ）である。
【００６３】
すなわちこの例において、上記送信電力は通信システムに依存するパラメータであるが、例えば図４に示すように、最大送信電力が「０ｄＢｍ」で最低送信電力が「−１００ｄＢｍ」であるような通信システムを想定した場合、例えば、最低送信電力の「−１００ｄＢｍ」でも目標「Ｅｂ／Ｉｏ」を満たすことができる場合には通信品質を「１００％」とし、また例えば、送信電力が「−８０ｄＢｍ」で目標「Ｅｂ／Ｉｏ」を満たすことができる場合には通信品質を「８０％」とし、逆に例えば、最大送信電力の「０ｄＢｍ」でも目標「Ｅｂ／Ｉｏ」を満たすことができない場合には通信品質を「０％」とする。
【００６４】
但し、目標とする「Ｅｂ／Ｉｏ」は、与えられた通信方式、帯域、ビットレート、誤り訂正方式等の条件によって変わる。このため、例えばそれら通信方式、帯域、ビットレート、誤り訂正方式等の各条件の目標「Ｅｂ／Ｉｏ」毎にテーブルを定義しても良い。なお、図４は、簡易的にそれらの各条件が同じであることを前提として、送信電力と通信品質を定義した例である。
【００６５】
［基地局側における送信電力と通信品質及び先読可能容量の定義例］
上述の図４の例は、携帯電話端末側における送信電力と通信品質の定義を示しているが、例えば図５に示すように、基地局側でも同様に送信電力と通信品質を定義すると同時に先読可能容量をも定義し、少ない送信電力で確保できる通信帯域に限って、携帯電話端末に先読みを許可するようなことも可能である。なお、この図５における送信電力と通信品質の定義は図４の例と同様であり、図５の例ではさらに先読可能容量が定義されている。
【００６６】
すなわち、基地局側では、この図５の表を参照して、より少ない電力で送信できる場合において、或る所定の開始時点から一定時間内（例えば１０００ｍｓ以内）に、携帯電話端末が先読みしても良いデータ容量を規定し、その規定したデータ容量を携帯電話端末に通知する。
【００６７】
また、基地局は、上記一定時間経過すると、次の規定時間（一定時間）内に携帯電話端末が先読みしてよいデータ容量を決める処理を再度行う。なお、携帯電話端末が先読みできるデータ量の制限は、例えば先読み専用の通信チャネルを定義し、当該専用通信チャネルを通じて一定量のデータ（規定データ容量のデータ）を転送したことを検知した時点で、基地局側でその専用通信チャネルをクローズすることにより実現できる。すなわちこの例によれば、基地局側から一方的にデータ容量に制約を課すことが可能となる。
【００６８】
なお、本実施形態において、上記基地局側にて一定時間を規定する上記所定の開始時点としては、先読みを希望する携帯電話端末が上記専用通信チャネルをオープンすることを当該基地局に要求した時点とする。基地局は、携帯電話端末から上記専用通信チャネルのオープン要求を受け取ったことをトリガ（所定の開始時点）として、上記一定時間内の先読み可能データ容量の計算を行い、上記専用通信チャネルをオープンする。
【００６９】
上述のように基地局側にて一定時間内の先読み可能データ容量が決められ、さらに専用通信チャネルがオープンされると、携帯電話端末は、そのデータ容量の範囲内で、出来る限りの先読みを行うことが可能となる。
【００７０】
なお、携帯電話端末は、その限られた通信容量の中で効率的に先読みするために、例えば拡張子がＨＴＭＬやＴＸＴなどのファイルを優先的に取得するなどの対策をとっても良い。
【００７１】
［お気に入りリストに基づく先読み処理］
次に、図６には、上記先読判定部２３が、先読みするサイトを決める際やそれらサイトの何れを優先的に先読みするかの判断、先読みするリンク数やデータ量を決める際に参照する、上記先読判定条件保存部１７に格納されている「お気に入りリスト」とパラメータ（設定値）の関係例を示す。
【００７２】
図６は、先読判定条件保存部１７に格納されている「お気に入りリスト」の一例として、登録名称が「週間天気予報」のサイト及びそのＵＲＬと、登録名称が「本日の株価情報」のサイト及びそのＵＲＬと、登録名称が「ニュース速報」のサイト及びそのＵＲＬが登録されている例を挙げている。また、図６の例では、「週間天気予報」のサイトの優先度が「１位」、「本日の株価情報」のサイトの優先度が「２位」、「ニュース速報」のサイトの優先度が「３位」に設定されている。そして、先読判定条件保存部１７には、優先度「１位」の「週間天気予報」のサイトに対する先読み度合いを定義するパラメータとして最大先読容量「５０ＫＢ」の値と最大先読リンク数「１０リンク」の値が設定されている。同様に、先読判定条件保存部１７には、優先度「２位」の「本日の株価情報」のサイトに対する先読み度合いを定義するパラメータとして最大先読容量「２０ＫＢ」の値と最大先読リンク数「５リンク」の値が設定されており、優先度「３位」の「ニュース速報」のサイトに対する先読み度合いを定義するパラメータとして最大先読容量「１０ＫＢ」の値と最大先読リンク数「３リンク」の値が設定されている。
【００７３】
したがって、この図６の例の場合、上記先読判定部２３は、前記電波状況監視部１６にて検知された通信品質が非常に良い時には、先ず優先度が「１位」の上記「週間天気予報」のサイトから最大先読容量「５０ＫＢ」，「１０リンク」分の先読みを行い、次に優先度が「２位」の上記「本日の株価情報」のサイトから最大先読容量「２０ＫＢ」，「５リンク」分の先読みを行い、次いで優先度が「３位」の上記「ニュース速報」のサイトから最大先読容量「１０ＫＢ」，「３リンク」分の先読みを行うようにする。また例えば、前記電波状況監視部１６にて検知された通信品質が中程度である場合、上記先読判定部２３は、例えば優先度が「１位」の上記「週間天気予報」のサイトから最大先読容量「５０ＫＢ」，「１０リンク」分の先読みを行い、次に優先度が「２位」の上記「本日の株価情報」のサイトからは最大先読容量「２０ＫＢ」，最大先読リンク数「５リンク」分の先読みを行うようにするが、例えば優先度が「３位」の上記「ニュース速報」のサイトについては先読みを行わないようにする。さらに例えば、通信可能ではあるが前記電波状況監視部１６にて検知された通信品質が悪い時には、上記先読判定部２３は、例えば優先度が「１位」の上記「週間天気予報」のサイトから最大先読容量「５０ＫＢ」，「１０リンク」分の先読みを行うが、優先度優先度が「２位」の「本日の株価情報」のサイトと優先度が「３位」の「ニュース速報」のサイトについては先読みを行わないようにする。
【００７４】
以上の説明では、先読判定条件保存部１７に登録されている最大先読容量と最大先読リンク数分を先読みすることにしているが、前記電波状況監視部１６にて検知された通信品質に応じて、最大先読容量や最大先読リンク数を変えても良い。
【００７５】
また、図６の例では、サイト毎に優先度が設定されている例を挙げているが、例えば同一サイト内の各リンク先やページについても更に優先度を設定し、当該同一サイト内の各リンク先やページについても優先度の高い順に先読み処理するようなことも可能である。
【００７６】
また、図６の説明では、通信品質が悪い時には、優先順位の上位のサイトのみを先読みする例を挙げたが、「お気に入りリスト」に登録されている各サイトのトップページについては、通信品質によらずに必ず先読みするようにしても良い。このように各サイトのトップページを先読みする場合、携帯電話端末は、各サイトのトップページ内に存在するリンク数やどのようなデータコンテンツが用意されているか、また、どのような更新がなされているのか等を取得できるようになる。勿論、トップページの先読み完了後、携帯電話端末は、前述同様に通信品質や優先度等に応じてどの程度まで先読みするかを決めるようにする。
【００７７】
また、図６の説明では、図３の例のような通信システムと通信品質の具体例については図示を省略しているが、実際には当該図６の例においても図３の場合と同様に、通信システムと通信品質について具体的な値が設定されている。
【００７８】
上述したような先読判定部２３による「お気に入りリスト」の先読み処理は、先読判定条件保存部１７に予め設定登録されているタイマ時刻（例えば毎日、午前と午後等の所定時刻）に実行され、当該先読みにより取得されたコンテンツ等は、コンテンツ保存部１８に保存される。なお、コンテンツ保存部１８に保存されたコンテンツ等は、予め設定された保存期間が経過すると順次消去される。当該コンテンツの消去は、例えば保存期間が古いものから順に行っても良いし、例えば保存期間と優先度を組み合わせるようにし、同じ保存期間であれば優先度の低いものから順に行うようにしても良い。
【００７９】
［携帯電話端末のコンテンツ制御部の処理フロー］
図７には、上述したような通信品質と先読み条件の定義に基づいて、図２のコンテンツ制御部１０が実行する先読み処理のフローチャートを示す。なお、この図７のフローチャートの処理は、本発明実施形態のブラウザアプリケーションプログラムをＣＰＵが実行することにより実現される処理である。
【００８０】
図７において、本実施形態のブラウザアプリケーションプログラムが起動され、ＣＰＵによりコンテンツ制御部１０の機能が起動すると、当該コンテンツ制御部１０の先読判定部２３は、ステップＳ１の処理として、先読判定条件保存部１７に予め設定されている前述した先読み条件の設定値（各パラメータ等）を読み込む。なお、先読み条件の設定はブラウザアプリケーションの起動中に行われても良い。
【００８１】
次に、先読判定部２３は、ステップＳ２の処理として、前回実行した先読み処理から一定時間が経過したか否か、すなわち例えばコンテンツを定期的に先読みする設定になされている場合に、その設定された先読み実行時刻になったか否かの判断を行う。そして、ステップＳ２にて一定時間が経過したと判断した場合、先読判定部２３は、ステップＳ３へ処理を進める。なお、本実施形態では、ステップＳ２での一定時間経過判断を行うことにより、例えば電波状況が常に良い場合に先読みが繰り返し実行されてしまうのを防止することも可能となっている。
【００８２】
ステップＳ３の処理に進むと、先読判定部２３は、ステップＳ１にて先読判定条件保存部１７から読み込んだ先読み条件の各パラメータと、電波状況監視部１６から取得した電波状況（通信品質等）とに基づいて、前述のように先読みを行うか否か、及び、電波状況から先読みが可能であるか否か判定する。
【００８３】
そして、ステップＳ３にて先読みが必要且つ可能であると判断された場合、コンテンツ制御部１０は、ステップＳ１０へ処理を進め、一方、先読みが不要か若しくは先読み出来ないと判断した場合にはステップＳ４へ処理を進める。
【００８４】
ステップＳ１０の処理に進むと、コンテンツ制御部１０のコンテンツ解析部２４は、前回サイト等を閲覧等した時に最後に表示されたコンテンツを解析して得られるリンク先のページやサイト、或いは、毎日チェックされるサイトやページの履歴解析により得られるサイトやページ、或いは、「お気に入りリスト」の解析により得られる登録サイトやページを特定する。
【００８５】
次に、コンテンツ制御部１０の要求制御部２１は、ステップＳ１１の処理として、上記コンテンツ解析部２４にて特定されたサイトやページのデータコンテンツを、前記コンテンツサーバ１に対して要求するための情報を生成し、そのデータコンテンツ要求情報をデータ通信制御部１５及び無線制御部１９を介して送信させる。
【００８６】
そして、コンテンツサーバ１から所望のデータコンテンツが送信され、そのデータコンテンツがデータ通信制御部１５及び無線制御部１９を介して受信されると、コンテンツ解析部２４は、ステップＳ１２の処理として、当該先読みされたデータコンテンツを、コンテンツ保存部１８へ保存する。このステップＳ１２の処理後、コンテンツ制御部１０は、ステップＳ２へ処理を戻す。
【００８７】
一方、ステップＳ３にて、先読みが不要か若しくは先読み出来ないと判断されてステップＳ４の処理に進むと、コンテンツ制御部１０の要求制御部２１は、入力制御部１１を通じてユーザからコンテンツの取得の指示入力がなされたか否か判断する。そして、コンテンツ制御部１０は、要求制御部２１にてコンテンツ取得指示入力がなされていないと判断されている間はステップＳ２へ処理を戻し、一方、要求制御部２１にてコンテンツ取得指示入力がなされたと判断された時にはステップＳ５へ処理を進める。
【００８８】
ステップＳ５の処理に進むと、コンテンツ制御部１０のコンテンツ解析部２４は、上記要求制御部２１が受けたユーザ操作にて取得が指示されているコンテンツが上記コンテンツ保存部１８に既に保存されているコンテンツ（先読み済みのコンテンツ）であるか否か解析及び判定する。
【００８９】
そして、コンテンツ制御部１０は、コンテンツ解析部２４がステップＳ５にて先読み済みのコンテンツであると判定した場合にはステップＳ６へ処理を進め、一方、コンテンツ解析部２４が先読みされていないコンテンツであると判定した場合にはステップＳ７へ処理を進める。
【００９０】
ステップＳ６の処理に進むと、コンテンツ制御部１０のコンテンツ解析部２４は、コンテンツ保存部１８に保存されている上記先読み済みのコンテンツのデータを読み出し、ステップＳ８へ処理を進める。
【００９１】
また、ステップＳ７の処理に進んだ場合、コンテンツ制御部１０の要求制御部２１は、上記ユーザ操作にて取得が指示されたコンテンツを、前記コンテンツサーバ１に対して要求するための情報を生成し、そのデータコンテンツ要求情報をデータ通信制御部１５及び無線制御部１９を介して送信させる。なお、ステップＳ３において、電波状況が悪く無線通信自体が出来ないと判定されている場合、当該ステップＳ７では、例えば、表示制御部２２にてその旨を通知するための表示情報を生成して表示部１２に表示することなどによりユーザへ知らせるようにする。
【００９２】
ステップＳ７でのデータコンテンツの要求に応じてコンテンツサーバ１から所望のデータコンテンツが送信され、そのデータコンテンツがデータ通信制御部１５及び無線制御部１９を介して受信されると、コンテンツ制御部１０は、表示制御部２２に処理を渡し、ステップＳ８へ処理を進める。
【００９３】
ステップＳ８の処理に進むと、表示制御部２２は、上記データコンテンツ（コンテンツ保存部１８から読み出されたデータコンテンツ若しくはコンテンツサーバ１から送られてきたデータコンテンツ）を、表示部１２の表示デバイスに表示するために必要な処理を行うと共に、その処理により生成された表示データを表示部１２へ転送することにより、当該コンテンツを表示デバイスの画面上に表示させる。なお、既に表示したコンテンツを保存（つまりキャッシュ）しておき、再度表示する際には、改めて通信を行わないといった制御は一般的に行われており、本実施形態のブラウザアプリケーションによるコンテンツ表示制御は、そのようなキャッシュコンテンツの再表示のような一般的な制御と共存できることは言うまでもなく可能である。
【００９４】
その後、コンテンツ制御部１０は、ステップＳ２へ処理を戻す。
【００９５】
［基地局側で先読み許可と先読みデータ容量を設定する場合の基地局の処理フロー］
図８には、前述の図５にて説明したように、基地局側で送信電力と通信品質及び先読可能容量を定義し、少ない送信電力で確保できる通信帯域に限って、携帯電話端末に先読みを許可するような処理を行う場合の、当該基地局側のフローチャートを示す。なお、この図８のフローチャートの処理は、基地局に実装されている通信制御装置のＣＰＵが通信制御プログラムを実行することにより実現される処理である。
【００９６】
図８において、基地局は、ステップＳ２１の処理として、携帯電話端末から前述の先読み専用通信チャネルを使用したデータコンテンツの先読み要求を受け取ると、先ず、ステップＳ２２の処理として、現状の通信帯域の混雑状況や当該携帯電話端末との間の距離、必要送信電力などの情報から、上記先読み専用通信チャネルの通信帯域を確保可能か否か判断する。
【００９７】
そして、基地局は、現状の通信帯域の混雑状況等により、先読み専用通信チャネルの通信帯域を確保できないとステップＳ２２にて判断した場合には、ステップＳ２９へ処理を進め、上記先読み要求を送信してきた携帯電話端末に対して先読み通信を拒否する通知を送信した後、ステップＳ２１へ処理を戻す。
【００９８】
一方、ステップＳ２２において、先読み専用通信チャネルを確保できると判断した場合、基地局は、ステップＳ２３へ処理を進め、上記先読み要求を送信してきた携帯電話端末との間で通信を行う際の通信品質を計測する。なお、この場合の通信品質は前述同様のものである。
【００９９】
次に、基地局は、ステップＳ２４の処理として、上記計測した通信品質から先読みのための通信を許可出来るか否か判定する。
【０１００】
そして、基地局は、ステップＳ２４にて許可できないと判定した場合には、ステップＳ２９へ処理を進め、上記先読み要求を送信してきた携帯電話端末に対して先読み通信が許可できない旨通知した後、ステップＳ２１へ処理を戻す。
【０１０１】
一方、ステップＳ２４において、先読みの通信を許可できると判定した場合、基地局は、ステップＳ２５へ処理を進める。
【０１０２】
ステップＳ２５の処理に進むと、基地局は、前述の図５にて説明したように、先読み要求を送信してきた携帯電話端末との間の通信の際に少ない送信電力で確保できる通信帯域を決定し、次いで、ステップＳ２６の処理として、当該携帯電話端末に対して先読みを許可するデータ容量を決定する。
【０１０３】
次に、基地局は、ステップＳ２７の処理として、先読み要求を送信してきた携帯電話端末との間に、先読み専用通信チャネルを設定する。これにより、当該携帯電話端末は先読みが可能となる。
【０１０４】
また、基地局は、ステップＳ２８の処理として、前述したような先読み専用通信チャネルを通じたデータ転送が許可される規定時間が経過したか否か判断し、規定時間が経過した時には、ステップＳ２２へ処理を戻す。そして、当該ステップＳ２２の処理に戻ると、再度先読み専用通信チャネルの通信帯域を確保できるか否か判断し、先読み専用通信チャネルを確保できなくなった場合には、ステップＳ２９にて当該先読み専用通信チャネルをクローズする。また、ステップＳ２２にて先読み専用通信チャネルの通信帯域を確保できた場合には、ステップＳ２３にて再度通信品質の計測を行うと共に、ステップＳ２４にて再度先読み通信の可否判定を行い、ステップＳ２４にて先読み通信が出来なくなったと判定した場合には、ステップＳ２９にて当該先読み専用通信チャネルをクローズする。
【０１０５】
［まとめ］
以上説明したように本発明実施形態によれば、電波状況（通信品質）が良い時にはデータコンテンツを先読みして保存しておき、電波状況が悪くなった時には、先読み保存しておいたデータコンテンツを閲覧可能に表示することにより、ブラウザアプリケーションによるデータコンテンツ閲覧時におけるユーザのストレスを低減できると共に、電波帯域及び電力の利用効率の向上を図ることも可能になっている。
【０１０６】
また、本発明実施形態によれば、「お気に入りリスト」に登録されたサイトやページのコンテンツが定期的に先読みさ、また、その先読みは優先度に応じた順番で行われるため、例えば毎日チェックするサイト等がある場合、ユーザは、優先順位が高いものほど迅速にチェックできるようになる。
【０１０７】
また、本発明実施形態によれば、電波状況が良くなる位置が予め設定されるか若しくは学習により自動的に設定されるため、先読みを確実に実行することができ、その結果、データコンテンツ閲覧時のユーザのストレスを低減でき、また、電波帯域及び電力の利用効率を向上させることが可能となっている。
【０１０８】
なお、上述した本発明の実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１０９】
上述の実施形態においては、携帯電話端末とそのシステムを例に挙げたが、本発明はそれらに限定されず、通信機能及びブラウザアプリケーションを搭載したＰＤＡ（Personal Digital Assistant）や携帯型テレビゲーム装置、携帯型ディジタルテレビジョン受信機、カーナビゲーション装置など様々な端末にも適用可能である。
【図面の簡単な説明】
【０１１０】
【図１】本発明実施形態の情報通信システムの概略構成を示すブロック図である。
【図２】本発明実施形態の携帯電話端末の概略構成を示すブロック図である。
【図３】先読判定の際に、電波状況に応じた先読みの可否判断や先読みデータ量を決める際に参照されるパラメータ（設定値）の説明に用いる図である。
【図４】携帯電話端末側における送信電力と通信品質の定義の説明に用いる図である。
【図５】基地局側における送信電力と通信品質及び先読可能容量の定義の説明に用いる図である。
【図６】先読判定の際に、先読みするサイトやリンク数，データ量を決める際に参照される「お気に入りリスト」とパラメータ（設定値）の説明に用いる図である。
【図７】通信品質と先読み条件の定義に基づいてコンテンツ制御部が実行する先読み処理のフローチャートである。
【図８】送信電力と通信品質及び先読可能容量に基づいて基地局側が実行するデータ容量の決定と先読みの可否決定の処理のフローチャートである。
【符号の説明】
【０１１１】
１  コンテンツサーバ、２  インターネット、３  交換機、４  基地局、５  携帯電話端末、１０  コンテンツ制御部、１１  入力制御部、１２  表示部、１３  タイマ部、１４  ＧＰＳ部、１５  データ通信制御部、１６  電波状況監視部、１７  先読判定条件保存部、１８  コンテンツ保存部、１９  無線制御部、２１  要求制御部、２２  表示制御部、２３  先読判定部、２４  コンテンツ解析部
【図１】
2009153078.tif 000003
【図２】
2009153078.tif 000004
【図３】
2009153078.tif 000005
【図４】
2009153078.tif 000006
【図５】
2009153078.tif 000007
【図６】
2009153078.tif 000008
【図７】
2009153078.tif 000009
【図８】
2009153078.tif 000010